(57)【特許請求の範囲】
【請求項１】
擁壁用積みブロックにおいて、ブロックの表面に玉石状の擬石を並設し、該擬石は、それぞれブロックの基板に接する面積が各擬石の基板への投影面積よりも小さく、擬石間の最小隙間の位置が基板より上方の擬石の高さの中間部に位置し、擬石及び基板、又は擬石、基板及び控えが一体化したコンクリートであることを特徴とする擁壁用ブロック。
【請求項２】
前記擬石は千鳥配列とし、ブロックの正面形状は平行四辺形であることを特徴とする請求項１記載の擁壁用ブロック。
【請求項３】
ブロックの周縁が擬石の基板への投影形状に近似する波形形状であって隣接ブロックの周縁と一致する形状であることを特徴とする請求項１又は２記載の擁壁用ブロック。
【請求項４】
擬石間の隙間に中詰土を充填したことを特徴とする請求項１〜３のいずれか記載の擁壁用ブロック。
【発明の詳細な説明】
【０００１】
【発明の属する技術分野】
本発明は、擁壁、護岸等に用いる擁壁用ブロックに関し、特に表面に擬石模様を付したコンクリート製の積みブロックに関する。
【０００２】
【従来の技術】
近年、自然景観を重視する観点から、河岸、法面、勾配面、道路側壁等に自然石と同様の外観を有する擬石模様を付した積みブロック、張りブロック、法面保護ブロック、河岸ブロックなどが用いられている。
このような従来の擬石模様を付したコンクリートブロックとしては図４や図５に示すものが知られている。図４に示すブロック１０はコンクリート基板１３の表面に、あたかも２つ割りした玉石の表面側が露出しているような状態の突出擬石１２を形成し、控え１４を備えたものである。このような従来のブロックの擬石１２の間の隙間部分に客土１５を充填して植生をする場合に、客土量が少なく、また、客土１５が流失しやすい等の問題があり、植生には不適である。これに対して、玉石の全断面を用いるブロックもある。図５に示す従来例のブロック２０は例えば、特開平４−３４４２０８号公報にも開示されており、玉石状の擬石２２を鋼線又は鉄筋コンクリート等２３で連結し一体化したものである。このようなブロックは緩勾配の法面にしか使用できない。法面が急勾配の場合には施工時に裏込材あるいは裏込コンクリート２４が擬石２２の間から流出し施工ができないからである。また、このブロックは張りブロックとしての機能のみ有し、法面の勾配が１割（４５度）以上の場合には、積みブロックとして法面安定に寄与することは全くできない。
【０００３】
【発明が解決しようとする課題】
本発明は以上の問題点を改善した積みブロックを提供することを目的とするものである。すなわち、本発明は表面に擬石模様を有するブロックであって、植生、魚巣機能も有し、急勾配の法面保護に使用することができる積みブロックを提供する。
【０００４】
【課題を解決するための手段】
本発明は、目的を達成するために開発されたもので、その特徴とする技術手段は、擁壁用積みブロックにおいて、ブロックの表面に玉石状の擬石を並設し、この擬石はそれぞれブロックの基板に接する部分の面積が各擬石の基板への投影面積よりも小さく、擬石間の最小隙間の位置が基板より上方の擬石の高さの中間部に位置し、擬石及び基板、又は擬石、基板及び控えが一体化したコンクリートであることを特徴とする擁壁用ブロックである。
【０００５】
すなわち、本発明の擁壁用ブロックの特徴は、
（ａ）擬石が２つ割り状の玉石の表面がコンクリート基板から突出した形状でなく、完全な形状の玉石の一部分のみが基板に接して浮き上がっているような状態になっており、擬石間の隙間が最小である位置が、擬石の高さの中間部に位置していること、及び
（ｂ）擬石及び基板又は擬石、基板及び控えが一体成形のコンクリートである点にある。
【０００６】
個々の玉石状の擬石の形状、大きさはバラエティーに富むものでよい。この擬石の配列は限定されるものではなく、碁盤目配列又はランダム配列などでもよいが、千鳥配列とすると、擬石間の隙間容積がコンパクトになり、景観上も好ましい形状となる。また１個のブロックの正面形状は正方形、矩形、多角形等とすることもできるが、平行四辺形とすると、擬石の千鳥配列ともマッチして安定的なブロックとなり好適である。そして、本発明のブロックの周縁の形状を擬石の基板への投影形状に近似する波形形状であって隣接ブロックの周縁と一致する形状とすると、隣接ブロックとの噛み合わせもよく、ブロックの施工の位置合わせも容易となり、施工された擁壁が強固になるので好ましい。
【０００７】
本発明の擁壁ブロックは、擬石の基板側の空隙を植生や魚巣機能に利用する。従って、隣接擬石との間の最小隙間を２ｃｍ以下とすることが好ましい。最適な範囲は１ｃｍ以下である。最小隙間は小さい方が中詰め土が流出しにくく、また、天然石による石積みの護岸や擁壁は隣接玉石との最小隙間は僅かであるから、上記最小隙間は小さい方が天然石による石積みに近くなり景観的に良好となる。
【０００８】
また、隣接擬石のブロック基板に接する部分間の最小隙間は２〜２０ｃｍとする。さらに最適な範囲は３〜１０ｃｍである。この隙間が小さくなると擬石の背面の空間が小さくなり、中詰め土の充填量が少くなくなり、緑化に不利となる。また魚巣機能を利用する時、不向きとなる。この隙間を大きくするには擬石を大きくする必要があり、ブロックの大きさや重量が必要以上に大きくなり不経済となるので２０ｃｍ以下とした。
【０００９】
また、隣接擬石の最小隙間の位置と基板表面との距離は５〜３０ｃｍとする。さらに適切な距離は８〜１５ｃｍである。この値が小さくなると擬石の背面の空間が小さくなり、上述と同様に中詰め土の充填量が少くなくなって緑化に不利であり、魚巣として適切でなくなる。この寸法を大きくするには擬石を大きくする必要があり、ブロックの大きさや重量が必要以上に大きくなり不経済となる。
【００１０】
本発明では、擬石間の隙間に中詰土を充填し、植栽用、緑化用のブロックとして用いることができる。中詰土の充填は、施工前でも、施工後でもよいが、製品工場で充填を行うと、充填作業が容易でありまた施工現場の省力化が可能なので製品工場で充填しておくのがよい。この中詰土中に、植物の種子、肥料、土壌侵食防止剤等を混入しておくとさらに好適である。
【００１１】
本発明のブロックは基板に貫通孔を設けることができ、長期にわたり雨が降らない場合でも中詰土の乾燥を防止することができる。貫通孔としては、１個の断面積が２０〜１００ｃｍ2 の貫通孔を基板１ｍ2 当り３〜５個設けると、上記目的を達成することができる。貫通孔の断面形状は円、四角その他どのような形状でもよい。この孔にも中詰めを施すとよい。
【００１２】
【発明の実施の形態】
以下、図面を参照して本発明の実施の形態について詳細に説明する。
図１は実施例の側面図、図２はその部分正面図と部分側面図、図３は正面図である。この実施例の擁壁ブロック１は、あたかも擬石（玉石）２をブロック基板３に埋め込んだような形状のブロックで、擬石２、基板３及び控え４が一体のコンクリートである。この例は現場施工のとき機械施工によって省力化を図るため、ブロックの正面形状を平行四辺形とし、寸法を縦８００×横１、２００×厚さ３５０ｍｍとした。擬石２の模様も自然石と区別がしにくいように形成してある。
【００１３】
擬石２は千鳥配列となっている。擬石２は、頂部２ａが丸く、高さの中央部に擬石間の隙間寸法ａが最小の部分があり、擬石が基板と接する基部２ｂの最小隙間寸法ｂの方が大きい形状となっている。図２はこのことを示す平面図で、擬石の２基板３への投影面積が擬石２の基底部２ｂの面積より大きいことを示している。隣接ブロックとの隙間が最小隙間寸法ａである部分の基板からの高さ寸法ｃは擬石２の全体の高さ（ｃ＋ｅ）の半分程度である。
【００１４】
このブロックは、製造時又は施工後に擬石間の隙間の高さｃまでの部分に中詰土６を充填した。また、中詰土を充填しないものでも、自然にこの部分に土砂が堆積し、擁壁の風合いが増し、周囲の景観に調和するものである。
さらに、実施例の擁壁ブロック１は周縁の形状を擬石２の形状に合わせた波形外周５とした。このことにより、見苦しい施工目地も隠れるので、従来の自然石積み護岸又は自然石張り護岸と見違えるような、一体感のある護岸を形成することができる。
【００１５】
このブロックは、ブロックの施工位置が平水位以下の部分は魚巣として、また、平水位より上の部分は緑化（ホタル）ブロックとして、同一のブロックを多目的に利用することができる。
（イ）魚巣としての利用
玉石間の空隙部が水平及び上下に連続しており、空隙内を通った水の緩やかな流れは、水草や、水棲生物に適した環境を創出する。
【００１６】
（ロ）緑化（ホタル）ブロックとしての利用
玉石の空隙部に中詰土を充填することにより、緑化構造とすることができ、空隙部は大きく湿潤状態を保持できるため、蛍の桶室として十分な機能を発揮できる。また、要望に応じて擬石の一部を省略し、植栽パイプを埋設した空洞を作ることも可能であり、深根植物の植栽も可能となる。
【００１７】
水面上は草木が繁茂して昆虫が集まり、水面下は影となるため、魚類は影と餌となる昆虫を求めて、魚巣部分を利用することができる。
【００１８】
【発明の効果】
本発明の擬石を表面に備えた擁壁ブロックは、自然景観にマッチした法面を形成することができ、擬石及び基板、又は擬石、基板及び控えが一体化しており、法面の勾配や条件に応じて、急勾配の法面保護ができ、裏込めコンクリートにより控３５ｃｍ以上の施工が可能で、安全な治水護岸として好適である。また緑化が可能であり、ブロック製作時に中詰土を充填しておくことができ、また、中詰土の流出を抑えることができ、さらに護岸ブロックとして使う場合、平水位以下の水中部分は魚巣としての機能を効果的に利用することができる。
【図面の簡単な説明】
【図１】実施例の側面図である。
【図２】実施例の部分正面図と部分側面図である。
【図３】実施例の正面図である。
【図４】従来例の正面図と側面図である。
【図５】従来例の正面図と側面図である。
【符号の説明】
１    擁壁ブロック
２    擬石
２ａ  頂部
２ｂ  基底部
３    基板
４    控え
５    波形外周
６    中詰土
１０  ブロック
１２  擬石
１３  基板
１４  控え
１５  客土
２０  ブロック
２２  擬石
２３  鋼線又は鉄筋コンクリート
２４  裏込めコンクリート
【図１】
0003683682.tif 000002
【図２】
0003683682.tif 000003
【図３】
0003683682.tif 000004
【図４】
0003683682.tif 000005
【図５】
0003683682.tif 000006